(57)【特許請求の範囲】
【請求項１】
複数のレンズ群のうち所定のレンズ群を移動させて変倍を行う変倍光学系と、該変倍光学系中に配置され変倍時に光軸方向に移動する絞り部材とを有し、該絞り部材が可変絞りとして光量を変化させるために動作し、該絞り部材を保持する枠部材に植設されたカム案内ピンが、該カム案内ピンに係合するカム部材及び直進案内部材により案内されることによって、前記絞り部材が光軸方向に移動するよう構成されたレンズ鏡胴において、前記カム案内ピンの少なくとも１つに貫通穴が形成され、前記光量を変化させるために前記絞り部材を動作させるための部材が前記貫通穴を貫通していることを特徴とするレンズ鏡胴。
【請求項２】
前記絞り部材を動作させるための部材は、前記貫通穴内を光軸直交方向に移動するものであることを特徴とする請求項１に記載のレンズ鏡胴。
【請求項３】
前記絞り部材を動作させるための部材は、前記貫通穴内で回転するものであることを特徴とする請求項１に記載のレンズ鏡胴。
【請求項４】
前記絞り部材を動作させるための部材は、前記レンズ鏡胴内部に配置された絞り駆動用アクチュエータへの給電用の導線であることを特徴とする請求項１に記載のレンズ鏡胴。
【請求項５】
前記絞り部材が可変絞りとして光量を変化させるために、前記変倍光学系内での開口部より退避した状態と開口部内に移動し絞った状態とをとるように動作することを特徴とする請求項１〜４のいずれか１項に記載のレンズ鏡胴。
【請求項６】
請求項１〜５のいずれか１項に記載のレンズ鏡胴を備えたことを特徴とする画像投影装置。
【発明の詳細な説明】
【技術分野】
【０００１】
本発明は、変倍に対応して絞りの位置が移動する変倍光学系を内包し、簡易な構成で絞り値を変更可能とした、特に画像投影装置に用いるに好適なレンズ鏡胴に関するものである。
【背景技術】
【０００２】
従来より、画像投影装置として、デジタル・マイクロミラー・デバイス等の反射型画像表示素子を備え、表示素子に表示された画像を投影光学系によりスクリーン上に拡大投影する画像投影装置（以下、プロジェクタとも称す）が知られている。
【０００３】
家庭用のホームシアター用プロジェクタにおいては、投影像の明るさやコントラストを使用する環境に合わせて変更できるよう、電動の可変絞りが内蔵され、照射光量を変化させるものがある。また、近年では、シネマ用などの大型の高輝度プロジェクタにおいても可変絞りを内蔵し、照射光量を変化させるようにしたものがある。
【０００４】
従来より、ズーム光学系の内部に配置され、変倍に伴って光軸方向に移動する可変絞りを動作させるよう構成したものとして、レンズ鏡胴内部で光軸方向に沿って、本体側の絞り駆動部材の動きを中間運動伝達部材を介して絞開閉環に伝達するものが知られている（例えば、特許文献１参照）。
【特許文献１】特開平５−１１９３６７号公報
【発明の開示】
【発明が解決しようとする課題】
【０００５】
しかしながら、上記特許文献１に記載されているような構成では、鏡胴内部で中間運動伝達部材が動作するためのスペースが必要となり、干渉を避けるために、近傍のレンズを保持している鏡枠等の形状が複雑になったり、部品点数が増加する問題がある。更に、光軸方向の長い距離を連結させる必要があり、部材の撓み等により動作が不安定となる恐れがある。
【０００６】
本発明は上記問題に鑑み、変倍に伴って光軸方向に移動する可変絞りを有するズーム光学系であっても、周辺部材の形状が複雑化せず、簡易な構成で絞りを駆動するようにしたレンズ鏡胴を得ることを目的とするものである。
【課題を解決するための手段】
【０００７】
上記の目的は、下記に記載する発明により達成される。
【０００８】
１．複数のレンズ群のうち所定のレンズ群を移動させて変倍を行う変倍光学系と、該変倍光学系中に配置され変倍時に光軸方向に移動する絞り部材とを有し、該絞り部材が可変絞りとして光量を変化させるために動作し、該絞り部材を保持する枠部材に植設されたカム案内ピンが、該カム案内ピンに係合するカム部材及び直進案内部材により案内されることによって、前記絞り部材が光軸方向に移動するよう構成されたレンズ鏡胴において、前記カム案内ピンの少なくとも１つに貫通穴が形成され、前記光量を変化させるために前記絞り部材を動作させるための部材が前記貫通穴を貫通していることを特徴とするレンズ鏡胴。
【０００９】
２．前記絞り部材を動作させるための部材は、前記貫通穴内を光軸直交方向に移動するものであることを特徴とする１に記載のレンズ鏡胴。
【００１０】
３．前記絞り部材を動作させるための部材は、前記貫通穴内で回転するものであることを特徴とする１に記載のレンズ鏡胴。
【００１１】
４．前記絞り部材を動作させるための部材は、前記レンズ鏡胴内部に配置された絞り駆動用アクチュエータへの給電用の導線であることを特徴とする１に記載のレンズ鏡胴。
【００１２】
５．前記絞り部材が可変絞りとして光量を変化させるために、前記変倍光学系内での開口部より退避した状態と開口部内に移動し絞った状態とをとるように動作することを特徴とする１〜４のいずれかに記載のレンズ鏡胴。
６．１〜５のいずれかに記載のレンズ鏡胴を備えたことを特徴とする画像投影装置。
【発明の効果】
【００１３】
本発明によれば、変倍に伴って光軸方向に移動する可変絞りを有するズーム光学系であっても、周辺部材の形状が複雑化せず、簡易な構成で絞りを駆動可能としたレンズ鏡胴を得ることが可能となる。
【発明を実施するための最良の形態】
【００１４】
以下、実施の形態により本発明を詳しく説明するが、本発明はこれに限定されるものではない。
【００１５】
図１は、本実施の形態に係る画像投影装置の一例の全体構成を示す概略図である。同図（ａ）は水平断面を示し、同図（ｂ）は同図（ａ）に示す投影レンズの光軸Ｏを含む部分的な垂直断面を示している。
【００１６】
同図に示す画像投影装置１００は、照明系１と、光路分離プリズム２と、色合成プリズム６と、３つのデジタル・マイクロミラー・デバイス（以下、ＤＭＤと称す）３Ｒ、３Ｇ、３Ｂと、投影レンズである変倍光学系４０とを備えている。
【００１７】
照明系１は、白色光を発光する光源１１と、回転楕円面鏡であるリフレクター１２と、平行変換レンズ１３と、ミラー１４と、コンデンサーレンズ１５からなる。照明系１において、光源１１からの光は直接平行変換レンズ１３に入射しここで平行光に変換される。この平行光は、さらにミラー１４で反射されてコンデンサーレンズ１５で集光され、光路分離プリズム２に入射する。
【００１８】
光路分離プリズム２は、空気層を介して面２１ｂと面２２ａが対向するように配されている２つのプリズムブロック２１、２２からなる。このような構成により、プリズムブロック２１の面２１ａから光路分離プリズム２に入射する照明光は、面２１ｂで全反射され、色合成プリズム６に入射する。
【００１９】
色合成プリズム６は、３つのプリズム６１、６２、６３からなる。プリズム６１は面６１ａが薄い空気層を介してプリズム６２の面６２ａと対向するように配されている。プリズム６３は面６３ａが薄い空気層を介してプリズム６２の面６２ｂと対向するように配されている。面６１ａは、青色（Ｂ）の光のみを反射するダイクロイック膜が蒸着されたダイクロイック面である。面６２ｂは、赤色（Ｒ）の光のみを反射するダイクロイック膜が蒸着されたダイクロイック面である。
【００２０】
上記の色合成プリズム６の構成により、光路分離プリズム２からの白色光のうち、Ｂの光は面６１ａで反射され、面６１ｂで全反射された後対応するＤＭＤ３Ｂに導かれる。Ｒの光は、面６２ｂで反射され、面６２ａで全反射された後対応するＤＭＤ３Ｒに導かれる。Ｇの光は、いずれの面でも反射されることなく色合成プリズム６を透過し、対応するＤＭＤ３Ｇに導かれる。
【００２１】
ＤＭＤ３Ｒ、３Ｇ、３Ｂは、基板上に極めて多数のミラー素子が配列されたミラー面を備えてなり、このミラー面を構成するミラー素子の反射方向を各々独立して二方向（法線を挟んで約±１２度）に切り替え得るように構成されている。この反射方向の切り替えは、上記ミラー素子を画素としてＤＭＤ３Ｒ、３Ｇ、３Ｂに入力される映像信号のオンオフ制御により行われる。各ＤＭＤ３Ｒ、３Ｇ、３Ｂのミラー面で反射された光は、再び色合成プリズム６に入射する。
【００２２】
色合成プリズム６内において、ＤＭＤ３Ｂからの反射光は、面６１ｂ、面６１ａで反射され、ＤＭＤ３Ｒからの反射光は面６２ａ、面６２ｂで反射され、ＤＭＤ３Ｇからの反射光はいずれの面でも反射されることなくそのまま透過されることによって、各色の光が合成される。
【００２３】
以下、ＤＭＤ３Ｒ、３Ｇ、３Ｂのミラー面からの反射光について説明する。説明をわかりやすくするために、ＤＭＤ３Ｇを代表させて同図（ａ）に基づいて説明する。同図（ａ）においては、ＤＭＤ３Ｇのミラー面を形成する素子のうち二つのミラー素子３ａ、３ｂを模式的に図示する。ミラー素子３ａは対応する画素信号がオンであるオン状態にあり、ミラー素子３ｂは対応する画素信号がオフであるオフ状態にあるものとする。
【００２４】
ＤＭＤ３Ｇのミラー面への光入射は、照明系１から光路分離プリズム２、色合成プリズム６を介して行われるが、その際、投影レンズ４の光軸Ｏと所定角度なす方向からミラー面へ光が入射される。各ミラー素子の反射方向は、オン状態のときには変倍光学系４０の光軸Ｏ方向（ミラー素子３ａからの反射光を参照）、オフ状態のときには変倍光学系４０に入射しないようなオン状態のときとは異なる方向（ミラー素子３ｂからの反射光を参照）である。以下、オン状態のミラー素子からの反射光をオン光、オフ状態のミラー素子からの反射光をオフ光ということにする。
【００２５】
Ｇのオン光、オフ光には、面６２ｂにおいてそれぞれＲのオン光、オフ光が合成され、面６１ａにおいてそれぞれＢのオン光、オフ光の光が合成される。上記の各ＤＭＤ３Ｒ、３Ｇ、３Ｂのミラー面からの反射光のうち、信号光（像光）となるオン光は、色分離合成プリズム６で合成された後、光路分離プリズム２を透過し、投影レンズである変倍光学系４０により前方のスクリーン上に投影される。変倍光学系４０は、複数のレンズにより構成されている（同図（ａ）においては、最前部及び最後部のレンズ面のみを示す）。
【００２６】
図２は、本実施の形態に係るレンズ鏡胴に内包される変倍光学系４０の一例を示す断面図である。同図（ａ）は光軸Ｏの上側にテレ端（長焦点端）時、下側にワイド端（短焦点端）時のレンズ位置を示した断面図であり、同図（ｂ）は各レンズ群の変倍時の移動線図である。
【００２７】
同図（ａ）に示す変倍光学系４０は、１６枚構成のレンズであり、プリズムブロック２２の前方に配置されている。
【００２８】
より詳しくは、変倍光学系４０は、スクリーン側よりレンズＬ１〜Ｌ５で構成された負のパワーを有する固定レンズ群である第１レンズ群４１、レンズＬ６で構成された正のパワーを有する移動レンズ群である第２レンズ群４２、レンズＬ７〜Ｌ８で構成された負のパワーを有する固定レンズ群である第３レンズ群４３、レンズＬ９で構成された正のパワーを有する移動レンズ群である第４レンズ群４４、レンズＬ１０〜Ｌ１４で構成された負のパワーを有する移動レンズ群である第５レンズ群４５、レンズＬ１５〜Ｌ１６で構成された正のパワーを有する固定レンズ群である第６レンズ群４６で構成されている。
【００２９】
第２レンズ群４２、第４レンズ群４４、第５レンズ群４５は、同図（ｂ）に示すように移動して変倍を行うようになっている。更に、第４レンズ群４４であるレンズＬ９のスクリーン側には光量を変化させるための絞り部材８１が配置され、第４レンズ群４４と一体的に光軸Ｏ方向に移動するようになっている。
【００３０】
（第１の実施の形態）
図３は、第１の実施の形態に係るレンズ鏡胴５０の断面図である。
【００３１】
同図に示すように、第１レンズ群４１は第１レンズ群鏡枠７１に保持され、固定胴８２に固定されている。第２レンズ群４２は、第２レンズ群鏡枠７２に保持されており、第２レンズ群鏡枠７２に植設されたカム案内ピン９２は、固定胴８２に形成された直進案内部８２ａ及びカム筒８３に形成されたカム溝と係合している。第３レンズ群４３は、第３レンズ群鏡枠７３に保持され、固定胴８２に固定されている。第４レンズ群４４は、第４レンズ群鏡枠７４に保持されており、第４レンズ群鏡枠７４に植設されたカム案内ピン９４は、固定胴８２に形成された直進案内部８２ａ及びカム筒８３と係合している。このカム案内ピン９４には、貫通穴が形成されている。また、不図示であるが絞り部材が配置されている。第５レンズ群４５は、第５レンズ群鏡枠７５ａ及び７５ｂに保持されており、第５レンズ群鏡枠７５ａに植設されたカム案内ピン９５は、固定胴８２に形成された直進案内部８２ａ及びカム筒８３と係合している。第６レンズ群４６は、第６レンズ群鏡枠７６に保持され、固定胴８２に固定されている。
【００３２】
これにより、カム筒８３を回転させると、第２レンズ群４２、第４レンズ群４４、第５レンズ群４５は、カム筒８３に形成されたカム溝の形状に対応して、光軸Ｏ方向に移動させられ、変倍が行われるようになっている。なお、カム案内ピン９２、９４、９５は各鏡枠それぞれの円周方向の３箇所に植設されている。
【００３３】
更に固定胴８２には、絞り操作ノブマウント８４が組み付けられている。
【００３４】
図４は、図３に示すレンズ鏡胴５０の第３レンズ群４３〜第６レンズ群４６周辺の拡大断面図である。
【００３５】
同図に示すように、絞り操作ノブマウント８４にはノブ台座８５が固定されており、絞り操作ノブ８６がノブ台座８５に支持され、軸周りに回転可能となされている。絞り操作ノブ８６の先端にはネジ部８６ｇが形成されている。絞り操作ノブ８６のネジ部８６ｇには、移動板８８に形成されたネジ部８８ｇが螺合しており、絞り操作ノブ８６の回転により、移動板８８は図示矢印方向に移動可能となされている。
【００３６】
一方、第４レンズ群鏡枠７４に植設されたカム案内ピン９４に形成された貫通穴には、軸部材９６が嵌合して貫通している。軸部材９６の一方の端部は、図示の如く、移動板８８と係合し、他方の端部は絞り部材駆動ラック９７と係合している。
【００３７】
この構成により、絞り操作ノブ８６を回転させると、移動板８８が図示矢印方向（光軸直交方向）に移動させられ、これに伴い、係合する軸部材９６がカム案内ピン９４の貫通穴内を光軸直交方向に移動し、軸部材９６に係合する絞り部材駆動ラック９７が光軸直交方向に移動する。この絞り部材駆動ラック９７の移動により、不図示の絞り部材が移動して開口部を絞るようになっている。移動板８８は、図示の如く光軸方向に長く形成され、第４レンズ群鏡枠７４の移動範囲、即ちカム案内ピン９４及び軸部材９６の光軸方向の移動範囲において、係合が維持されるようになっている。
【００３８】
図５は、図４に示すＦ−Ｆ線断面から見て、軸部材９６、絞り部材駆動ラック９７等を抜き出した模式図である。同図（ａ）は絞り部材８１が開口部Ｋより退避した状態を示し、同図（ｂ）は絞り部材８１が開口部Ｋ内に移動し絞った状態を示している。
【００３９】
同図に示すように、絞り部材８１には歯車８１ｇが一体的に形成されており、歯車８１ｇは絞り部材駆動ラック９７に形成されたラック歯車９７Ｌと歯合している。歯車８１ｇ及び絞り部材８１は、第４レンズ群鏡枠７４に形成されたボス７４ｂに軸支されている。
【００４０】
同図（ａ）に示す状態から、図４に示す絞り操作ノブ８６を回転させ、移動板８８を光軸から遠ざかるよう移動させると、同図（ｂ）に示すように、係合する軸部材９６がカム案内ピン９４の貫通穴内を図示矢印方向に移動し、軸部材９６に係合する絞り部材駆動ラック９７も図示矢印方向に移動する。この絞り部材駆動ラック９７の移動により、ラック歯車９７Ｌと歯合する歯車８１ｇが回転させられ、絞り部材８１は図示の如くボス７４ｂを軸にして開口部Ｋ内に回動移動し、絞るようになっている。
【００４１】
このように、カム案内ピン９４に貫通穴を形成し、この貫通穴に絞り部材８１を動作させるための部材である軸部材９６を貫通させ、光軸直交方向に移動させることにより、絞り部材８１を動作させるよう構成することで、周辺のレンズ及び鏡枠等の形状が複雑化せず、簡易な構成で安定した絞り駆動動作が可能なレンズ鏡胴を得ることができる。
【００４２】
更に、本例のレンズ鏡胴をシネマ用の高輝度プロジェクタ等に適用する場合には、電動アクチュエータを内部に配置せずに絞りを可変できるため、プロジェクタ内部、特に光学系内部での温度上昇を抑制することもできる。
【００４３】
（第２の実施の形態）
図６は、第２の実施の形態に係るレンズ鏡胴５０の第３レンズ群４３〜第６レンズ群４６周辺の拡大断面図である。同図に示すレンズ鏡胴は説明の重複を避けるため同機能部材には同符号を付与し、第１の実施の形態に示したレンズ鏡胴とは異なる部分についてのみ説明する。
【００４４】
第２の実施の形態に係るレンズ鏡胴５０は、第４レンズ群鏡枠７４に植設されたカム案内ピン９４の貫通穴内で、絞り部材を動作させるための部材を回転させることでレンズ鏡胴内の絞り部材を動作させるものの例である。
【００４５】
同図に示すように、カム案内ピン９４に形成された貫通穴には、絞り操作ノブ１０６の細軸部１０６ｓが貫通している。細軸部１０６の先端部にはネジ部１０６ｎが形成されている。このネジ部１０６ｎには、絞り部材駆動ラック１０７に形成されたネジ部１０７ｎが螺合しており、絞り操作ノブ１０６の回転により、絞り部材駆動ラック１０７は図示矢印方向に移動可能となされている。
【００４６】
図７は、図６に示すＦ−Ｆ線断面から見て、絞り操作ノブ１０６、絞り部材駆動ラック１０７等を抜き出した模式図である。同図（ａ）は絞り部材８１が開口部Ｋより退避した状態を示し、同図（ｂ）は絞り部材８１が開口部Ｋ内に移動し絞った状態を示している。
【００４７】
同図に示すように、絞り部材８１には歯車８１ｇが一体的に形成されており、歯車８１ｇは絞り部材駆動ラック１０７に形成されたラック歯車１０７Ｌと歯合している。歯車８１ｇ及び絞り部材８１は、第４レンズ群鏡枠７４に形成されたボス７４ｂに軸支されている。
【００４８】
同図（ａ）に示す状態から、絞り操作ノブ１０６を回転させ、螺合する絞り部材駆動ラック１０７を図示矢印方向に移動させる。この絞り部材駆動ラック１０７の移動により同図（ｂ）に示すように、ラック歯車１０７Ｌと歯合する歯車８１ｇが回転させられ、絞り部材８１は図示の如くボス７４ｂを軸にして開口部Ｋ内に回動移動し、絞るようになっている。
【００４９】
このように、カム案内ピン９４に貫通穴を形成し、この貫通穴に絞り部材８１を動作させるための部材である絞り操作ノブ１０６の細軸部１０６ｓを貫通させ、該貫通穴内で回転させ、絞り部材８１を動作させるよう構成することで、周辺のレンズ及び鏡枠等の形状が複雑化せず、簡易な構成で安定した絞りの駆動動作が可能なレンズ鏡胴を得ることができる。
【００５０】
更に、本例のレンズ鏡胴をシネマ用の高輝度プロジェクタ等に適用する場合には、電動アクチュエータを内部に配置せずに絞りを可変できるため、プロジェクタ内部、特に光学系内部での温度上昇を抑制することもできる。
【００５１】
また、上記第１及び第２の実施の形態では、操作ノブを操作して絞り部材を動作させる構成で説明したが、操作ノブに相当する部材を、例えばステッピングモータ等のアクチュエータにより回転させるよう構成してもよいのは勿論である。この場合も、電動アクチュエータを鏡胴外部に配置することができ、プロジェクタ内部、特に光学系内部での温度上昇を抑制することができる。
【００５２】
（第３の実施の形態）
図８は、第３の実施の形態に係るレンズ鏡胴５０の第３レンズ群４３〜第６レンズ群４６周辺の拡大断面図である。同図に示すレンズ鏡胴は説明の重複を避けるため同機能部材には同符号を付与し、第２の実施の形態に示したレンズ鏡胴とは異なる部分についてのみ説明する。
【００５３】
第３の実施の形態に係るレンズ鏡胴５０は、第４レンズ群鏡枠７４に植設されたカム案内ピン９４の貫通穴に、鏡胴内部に配置された絞り駆動用アクチュエータの導線を貫通させて給電することでレンズ鏡胴内の絞り部材を動作させるものの例である。
【００５４】
同図に示すように、カム案内ピン９４に形成された貫通穴には、導線１１６ｒが貫通している。内部にはモータ１１６が配置されている。２本の導線１１６ｒはモータ１１６に接続されている。モータ１１６の回転軸には、ピニオンギア１１７が組み付けられている。
【００５５】
図９は、図８に示すＦ−Ｆ線断面から見て、モータ１１６、絞り部材８１等を抜き出した模式図である。同図（ａ）は絞り部材８１が開口部Ｋより退避した状態を示し、同図（ｂ）は絞り部材８１が開口部Ｋ内に移動し絞った状態を示している。
【００５６】
同図に示すように、絞り部材８１には歯車８１ｇが一体的に形成されており、歯車８１ｇは、モータ１１６に組み付けられたピニオンギア１１７と歯合している。歯車８１ｇ及び絞り部材８１は、第４レンズ群鏡枠７４に形成されたボス７４ｂに軸支されている。
【００５７】
同図（ａ）に示す状態から、ピニオンギア１１７を回転させることにより、同図（ｂ）に示すように、歯車８１ｇが回転させられ、絞り部材８１は図示の如くボス７４ｂを軸にして開口部Ｋ内に回動移動し、絞るようになっている。
【００５８】
このように、カム案内ピン９４に貫通穴を形成し、この貫通穴にレンズ鏡胴内部に配置された絞り駆動用アクチュエータへの給電用の導線を貫通させるよう構成することで、周辺のレンズ及び鏡枠等の形状が複雑化せず、簡易な構成で絞りの駆動が可能なレンズ鏡胴を得ることができる。
【００５９】
なお、上記の実施の形態では、開口部Ｋ及び光軸Ｏに対し非対称に絞り部材が動作する例で説明したが、本発明はこれに限るものでなく、カメラ等に用いられるレンズ鏡胴にも適用できる。
【００６０】
図１０は、本発明を複数枚の絞り羽根を有する絞りユニットに適用した例を示す図である。レンズ鏡胴の構成は図４、図６に示すものと略同様で良いため省略する。
【００６１】
図１０において、歯車１３１ｇは絞り部材駆動ラック１０７に形成されたラック歯車１０７Ｌと歯合している。歯車１３１ｇは、不図示の鏡枠に形成されたボスに軸支されている。歯車１３１ｇは、絞り開閉リング１２５の外周に形成された歯車部１２５ｇと歯合している。絞り羽根１２１には軸支穴１２２が形成され、絞り羽根支持リング１２６に形成されたボスで軸支され回動可能に支持されている。また、絞り羽根１２１にはピン１２３が植設され、絞り開閉リング１２５に形成された溝部１２４に挿入されている。
【００６２】
このような構成にして、絞り部材駆動ラック１０７の図示矢印方向の移動により、歯車１３１ｇを介して絞り開閉リング１２５が回転し、複数の絞り羽根１２１が軸支穴１２２を中心に回動し絞り動作をおこなう、虹彩絞りとすることも可能である。
【図面の簡単な説明】
【００６３】
【図１】本実施の形態に係る画像投影装置の一例の全体構成を示す概略図である。
【図２】本実施の形態に係るレンズ鏡胴に内包される変倍光学系の一例を示す断面図である。
【図３】第１の実施の形態に係るレンズ鏡胴の断面図である。
【図４】図３に示すレンズ鏡胴の第３レンズ群〜第６レンズ群周辺の拡大断面図である。
【図５】図４に示すＦ−Ｆ線断面から見て、軸部材、絞り部材駆動ラック等を抜き出した模式図である。
【図６】第２の実施の形態に係るレンズ鏡胴の第３レンズ群〜第６レンズ群周辺の拡大断面図である。
【図７】図６に示すＦ−Ｆ線断面から見て、絞り操作ノブ、絞り部材駆動ラック等を抜き出した模式図である。
【図８】第３の実施の形態に係るレンズ鏡胴の第３レンズ群〜第６レンズ群周辺の拡大断面図である。
【図９】図８に示すＦ−Ｆ線断面から見て、モータ、絞り部材等を抜き出した模式図である。
【図１０】本発明を複数枚の絞り羽根を有する絞りユニットに適用した例を示す図である。
【符号の説明】
【００６４】
４１  第１レンズ群
４２  第２レンズ群
４３  第３レンズ群
４４  第４レンズ群
４５  第５レンズ群
４６  第６レンズ群
５０  レンズ鏡胴
７１  第１レンズ群鏡枠
７２  第２レンズ群鏡枠
７３  第３レンズ群鏡枠
７４  第４レンズ群鏡枠
７５ａ、７５ｂ  第５レンズ群鏡枠
７６  第６レンズ群鏡枠
８２  固定胴
８２ａ  直進案内部
８３  カム筒
８６、１０６  絞り操作ノブ
９２、９４、９５  カム案内ピン
９６  軸部材
９７、１０７  絞り部材駆動ラック
８１  絞り部材
８１ｇ  歯車
Ｋ  開口部
【図１】
0004962214.tif 000002
【図２】
0004962214.tif 000003
【図３】
0004962214.tif 000004
【図４】
0004962214.tif 000005
【図５】
0004962214.tif 000006
【図６】
0004962214.tif 000007
【図７】
0004962214.tif 000008
【図８】
0004962214.tif 000009
【図９】
0004962214.tif 000010
【図１０】
0004962214.tif 000011